(57)【要約】【課題】斜め方向から入射するノイズ光を除去し、バンドパスフィルタのバンドパス特性に応じた波長の赤外光を広い角度範囲で受光可能にする。【解決手段】受光モジュール１０は、中空球体の一部を碗状に切り取った形状の透光性部材１６からなるバンドパスフィルタ１５を具備し、バンドパスフィルタ１５のベース形状に係る中空球体の中心に、受光素子１４の受光面１４ａの中心が位置するように、受光素子１４を配置する。バンドパスフィルタ１５は球面であるため、法線方向に沿って入射する光は、いずれの箇所でもバンドパスフィルタ１５の本来のバンドパス性能を発揮でき、斜め方向からのノイズ光を確実に遮る一方、透過波長帯に含まれる波長の光は透過させるので、受光モジュール１０はノイズ光の影響を受けにくく、入射方向に関係なく安定した受光特性を得る。【選択図】図１
2009076557.tif 000002
【特許請求の範囲】
【請求項１】
一範囲の波長帯の光を透過させる透光性部材からなるバンドパスフィルタにおいて、
前記透光性部材は、中空球体の一部を碗状に切り取った形状にしてあることを特徴とするバンドパスフィルタ。
【請求項２】
一範囲の波長帯の光を透過させる透光性部材からなるバンドパスフィルタにおいて、
前記透光性部材は、複数の斜面部を有することを特徴とするバンドパスフィルタ。
【請求項３】
一範囲の波長帯の赤外光を透過させる透光性部材からなるバンドパスフィルタと、前記バンドパスフィルタを透過した赤外光を受光する受光素子とを備えた受光モジュールにおいて、
前記バンドパスフィルタの透光性部材は、碗状に形成してあり、
前記受光素子は、前記バンドパスフィルタの透光性部材の内方側に配置してあることを特徴とする受光モジュール。
【請求項４】
一範囲の波長帯の赤外光を透過させる透光性部材からなるバンドパスフィルタと、前記バンドパスフィルタを透過した赤外光を受光する受光素子とを備えた受光モジュールにおいて、
前記バンドパスフィルタの透光性部材は、中空球体の一部を碗状に切り取った形状にしてあり、
前記受光素子は、前記バンドパスフィルタの透光性部材の内方側に配置してあることを特徴とする受光モジュール。
【請求項５】
前記バンドパスフィルタの透光性部材の形状に係る中空球体の中心に、前記受光素子が配置してある請求項４に記載の受光モジュール。
【請求項６】
一範囲の波長帯の赤外光を透過させる透光性部材からなるバンドパスフィルタと、前記バンドパスフィルタを透過した赤外光を受光する受光素子とを備えた受光モジュールにおいて、
前記バンドパスフィルタの透光性部材は、複数の斜面部を設けて末広がり形状に形成してあり、
前記受光素子は、前記バンドパスフィルタの透光性部材の内方側に配置してあることを特徴とする受光モジュール。
【請求項７】
前記バンドパスフィルタの透光性部材が有する各斜面部に対する複数の垂線の交点に、前記受光素子が配置してある請求項６に記載の受光モジュール。
【発明の詳細な説明】
【技術分野】
【０００１】
本発明は、電気機器のリモートコントロール装置から発せられる赤外線（赤外光）の受光側の電気機器に設けられるバンドパスフィルタおよび受光モジュールに関し、特に赤外光の入射角に関係なく安定した受光特性が得られるようにしたバンドパスフィルタおよび受光モジュールに関する。
【背景技術】
【０００２】
従来、遠隔操作が可能な電気機器には、リモートコントロール装置（以下、リモコン装置と称す）から発せられる赤外光を受光するための受光モジュールが設けられている。受光モジュールは通常、リモコン装置から発せられる赤外線に応じた波長帯の光を透過させる特性のバンドパスフィルタを受光素子の前方に配置し、電気機器の周囲の室内灯などから発せられるノイズ光をバンドパスルフィルタで遮断して受光素子がノイズ光を受光しないようにしている。
【０００３】
図６（ａ）は、従来の受光モジュール１の基本構成を示し、基板３に実装された受光素子４の前方に、所定の間隔を開けて平板状の透光性部材からなるバンドパスフィルタ５を配置したものになっている。バンドパスフィルタ５へ入射した赤外光は、波長がバンドパスフィルタ５の透過波長帯の範囲内であれば、バンドパスフィルタ５を透過し、受光素子４で受光されるが、波長が透過波長帯の範囲外であれば、バンドパスフィルタ５で遮光される。
【０００４】
なお、下記の特許文献１は、光の入射箇所に湾曲面を形成したバンドパスフィルタを開示しており、特許文献２は入射面を斜面にしたバンドパスフィルタを開示している。また、特許文献３は、バンドパスフィルタの前方にシボ加工を施した拡散板を配置した受光モジュールを開示している。さらに、特許文献４は、分光特性が相違する受光モジュールを２セット設けて、ノイズ光が発生するスペクトラム成分の変化に応じて受光モジュールを切り替える構成を開示している。
【特許文献１】特開平５−２５７０６８号公報
【特許文献２】特開２００４−２７９８５６号公報
【特許文献３】特開平２−２０６２９６号公報
【特許文献４】特開平６−１４０１５８号公報
【発明の開示】
【発明が解決しようとする課題】
【０００５】
図６（ｂ）に示すように、平板状のバンドパスフィルタ５は、フィルタ表面５ａへ直交的に光Ｋ１（例えば、赤外光）が入射する場合、所定のバンドパス特性に応じた光の透過が行われるが、斜め方向からの入射に対しては、バンドパスフィルタ５の光を透過させる波長帯が下方（短波長側）へシフトし、本来の透過を想定している波長より短い波長の光Ｋ２、Ｋ３（例えば、ノイズ光）が透過してしまうと云う問題がある。この場合、ノイズ光を受光素子４が受光すると、受光モジュール１を設けた電気機器（図示せず）に誤作動のおそれが生じ、斜め方向からの入射光はリモコン装置の遠隔操作距離を縮める原因の１つになる。
【０００６】
なお、特許文献１が開示するバンドパスフィルタを、リモコン装置用の受光モジュールに適用したとしても、特許文献１のバンドパスフィルタの湾曲面は対称的な形状でないため、あらゆる入射方向の光を受光素子へ導くことが難しく、特許文献１のバンドパスフィルタはリモコン装置用の受光モジュールとして不適である。また、特許文献２が開示するバンドパスフィルタを、リモコン装置用の受光モジュールに適用したとしても、１つの斜面部しか有しないので、一方向から発せられた入射光にしか対応できず、やはり、特許文献２のバンドパスフィルタもリモコン装置用の受光モジュールに不適である。
【０００７】
さらに、特許文献３に係る受光モジュールでは、新たにシボ加工を施した拡散板を用いるため、構成部材の数が多くなり受光モジュールの大型化およびコスト上昇を招く問題がある。さらにまた、特許文献４では、受光モジュールが２セットも必要となる上、各受光モジュールの切替用のスイッチおよび制御回路等も要求されるため、一般的な電気機器（例えば、テレビジョン装置、録画装置、オーディオ装置など）の受光モジュールとしては大がかりで複雑な構成となり、一般的な電気機器に適用するのは困難である。
【０００８】
本発明は、斯かる問題に鑑みてなされたものであり、バンドパスフィルタの形状を工夫することで、様々な入射方向に対して、適切にノイズ光を遮ると共に、透過を想定している波長帯の赤外光のみを確実に透過させるようにしたバンドパスフィルタおよび受光モジュールを提供することを目的とする。
【課題を解決するための手段】
【０００９】
上記課題を解決するために本発明に係るバンドパスフィルタは、一範囲の波長帯の光を透過させる透光性部材からなるバンドパスフィルタにおいて、前記透光性部材は、中空球体の一部を碗状に切り取った形状にしてあることを特徴とする。
【００１０】
本発明にあっては、バンドパスフィルタの透光性部材を、中空球体の一部を碗状に切り取った形状にしているので、透光性部材は対称的な形状となり、外方側より透光性部材を垂直的に貫く角度（中空球体の法線方向の角度）で光が入射されれば、そのような入射角度の光に対しては周囲の何れの方向からであっても、所定のバンドパス特性を維持できるようになる。そのため、透光性部材の形状を定める中空球体の中心に相当する箇所に受光モジュールの受光素子を配置すれば、広い範囲の方向からの入射光に対してバンドパス特性に応じた受光を行える。
【００１１】
本発明に係るバンドパスフィルタは、一範囲の波長帯の光を透過させる透光性部材からなるバンドパスフィルタにおいて、前記透光性部材は、複数の斜面部を有することを特徴とする。
【００１２】
本発明にあっては、バンドパスフィルタの透光性部材が、複数の斜面部を有するので、各斜面部へ直交的に入射する光に対して所定のバンドパス特性が維持されるようになる。そのため、斜面部を設けた方向に対しては、良好なバンドパス特性を確保できるので、このようなバンドパスフィルタをリモコン装置用の受光モジュールに用いれば、各斜面部に応じた複数の方向からの入射光（赤外光）を確実に受光できるようになり、受光モジュールを設けた電気機器の誤作動を抑制できる。
【００１３】
本発明に係る受光モジュールは、一範囲の波長帯の赤外光を透過させる透光性部材からなるバンドパスフィルタと、前記バンドパスフィルタを透過した赤外光を受光する受光素子とを備えた受光モジュールにおいて、前記バンドパスフィルタの透光性部材は、碗状に形成してあり、前記受光素子は、前記バンドパスフィルタの透光性部材の内方側に配置してあることを特徴とする。
【００１４】
本発明にあっては、碗状の透光性部材からなるバンドパスフィルタの内方側に受光素子を配置するので、透光性部材を貫く中心線を中心にして対称性のある碗状に湾曲したバンドパスフィルタで受光素子は覆われるようになる。そのため、覆われた角度範囲でバンドパスフィルタへ直交的に入射する光に対しては、所定のバンドパス特性を確保され、平板状のバンドパスフィルタを用いる場合に比べて、ノイズ光の影響を排除して、広い入射方向の範囲で規定に応じた波長の赤外光を受光しやすくなる。
【００１５】
本発明に係る受光モジュールは、一範囲の波長帯の赤外光を透過させる透光性部材からなるバンドパスフィルタと、前記バンドパスフィルタを透過した赤外光を受光する受光素子とを備えた受光モジュールにおいて、前記バンドパスフィルタの透光性部材は、中空球体の一部を碗状に切り取った形状にしてあり、前記受光素子は、前記バンドパスフィルタの透光性部材の内方側に配置してあることを特徴とする。
【００１６】
本発明にあっては、中空球体の一部を碗状に切り取った形状の透光性部材からなるバンドパスフィルタの内方側に受光素子を配置するので、受光素子は一定曲率の球面のバンドパスフィルタで覆われるようになる。そのため、覆われた角度範囲でバンドパスフィルタへ直交的に入射する光は中空球体の中心に向かい、所定のバンドパス特性に応じた波長の光を一点に導きやすくなり、バンドパスフィルタの内方側に配置された受光素子も、一段と良好な受光を行える。
【００１７】
本発明に係る受光モジュールは、前記バンドパスフィルタの透光性部材の形状に係る中空球体の中心に、前記受光素子が配置してあることを特徴とする。
【００１８】
本発明にあっては、バンドパスフィルタの透光性部材の形状に係る中空球体の中心に受光素子が配置してあるので、バンドパス特性に応じた赤外光がバンドパスフィルタのいずれの箇所でも直交的にさえ入射すれば、確実に受光素子で受光されるので、広角度範囲で所定波長の赤外光を受光素子で受光できるようになる。その結果、受光モジュールの取付対象となる電気機器の誤作動が防止されると共に、リモコン装置の遠隔操作距離も適正に確保できる。
【００１９】
本発明に係る受光モジュールは、一範囲の波長帯の赤外光を透過させる透光性部材からなるバンドパスフィルタと、前記バンドパスフィルタを透過した赤外光を受光する受光素子とを備えた受光モジュールにおいて、前記バンドパスフィルタの透光性部材は、複数の斜面部を設けて末広がり形状に形成してあり、前記受光素子は、前記バンドパスフィルタの透光性部材の内方側に配置してあることを特徴とする。
【００２０】
本発明にあっては、末広がり形状に配置した複数の斜面部を有する透光性部材からなるバンドパスフィルタの内方側に受光素子を配置するので、受光素子は複数の斜面部で囲まれるようにバンドパスフィルタで覆われるようになる。その結果、覆われた角度範囲でバンドパスフィルタの各斜面部へ直交的に入射する光は、所定のバンドパス特性に応じた波長のものがバンドパスフィルタを透過するので、受光素子で規定の波長を有する赤外光を良好に受光できるようになり、ノイズ光の影響を排除しやすくなる。
【００２１】
本発明に係る受光モジュールは、前記バンドパスフィルタの透光性部材が有する各斜面部に対する複数の垂線の交点に、前記受光素子が配置してあることを特徴とする。
【００２２】
本発明にあっては、バンドパスフィルタの透光性部材が有する斜面部ごとの垂線の交点に前記受光素子が配置してあるので、バンドパス特性に応じた赤外光が各斜面部へ直交的に入射すれば、確実に受光素子で受光されるため、所定波長の赤外光を広角度範囲で受光できるようになる。それに伴い、受光モジュールの取付対象となる電気機器の誤作動を抑制できると共に、リモコン装置の適正な遠隔操作距離も確保できる。
【発明の効果】
【００２３】
本発明にあっては、バンドパスフィルタの透光性部材が中空球体の一部を碗状に切り取った形状なので、外方側より法線方向の角度で光が入射されれば、そのような入射角度の光に対しては何れの方向からでも、所定のバンドパス特性を維持でき、リモコン装置用の受光モジュールに好適なバンドパスフィルタを提供できる。
また、本発明にあっては、バンドパスフィルタの透光性部材が、複数の斜面部を有するので、各斜面部へ直交的に入射する光に対して所定のバンドパス特性を維持でき、曲面部を有しないことから低コストでリモコン装置用の受光モジュールに好適なバンドパスフィルタを提供できる。
【００２４】
本発明にあっては、碗状の透光性部材からなるバンドパスフィルタの内方側に受光素子を配置するので、湾曲したバンドパスフィルタで受光素子は覆われるようになり、覆われた角度範囲でバンドパスフィルタへ直交的に入射する光に対して、所定のバンドパス特性を確保でき、平板状のバンドパスフィルタを用いる場合に比べて、ノイズ光の影響を排除し、広い角度範囲で規定に応じた波長の赤外光を受光できる。
【００２５】
また、本発明にあっては、中空球体の一部を碗状に切り取った形状の透光性部材からなるバンドパスフィルタの内方側に受光素子を配置するので、受光素子は一定曲率の球面のバンドパスフィルタで覆われ、バンドパスフィルタの内方側に配置された受光素子で、より良好に所定波長の赤外光を受光できる。
さらに、本発明にあっては、バンドパスフィルタの透光性部材の形状に係る中空球体の中心に前記受光素子を配置するので、一段と確実に所定波長の赤外光を受光でき、受光モジュールの取付対象となる電気機器の誤作動防止およびリモコン装置の適正な遠隔操作距離の確保に貢献できる。
【００２６】
本発明にあっては、末広がり形状に配置した複数の斜面部を有する透光性部材からなるバンドパスフィルタの内方側に受光素子を配置するので、受光素子は複数の斜面部で囲まれるように覆われ、所定のバンドパス特性に応じた波長の赤外光を良好に受光できる。
また、本発明にあっては、バンドパスフィルタの透光性部材が有する斜面部ごとの垂線の交点に前記受光素子を配置するので、所定波長の赤外光を広い角度範囲で受光でき、それに伴い、受光モジュールの取付対象となる電気機器の誤作動を抑制できると共に、リモコン装置の適正な遠隔操作距離も確保できる。
【発明を実施するための最良の形態】
【００２７】
図１は、本発明の第１実施形態に係る受光モジュール１０を示している。受光モジュール１０は、各種電気機器（テレビジョン装置、録画装置、オーディオ装置、エアコンディショナなど）の本体側に設けられるものであり、これらの各種電気機器に付属のリモコン装置から発せられる所定の波長の赤外光（赤外線）を受光し、リモートコントロール（遠隔操作）を行えるようにしている。第１実施形態の受光モジュール１０は、碗状の透光性部材１６からなるバンドパスフィルタ１５を用いたことが特徴であり、受光モジュール１０のハウジング１２（図中、二点鎖線で示す）にバンドパスフィルタ１５を取り付けると共に、バンドパスフィルタ１５で覆われる内方側に受光素子１４を配置することで、広い入射方向で赤外光の受光を可能にしている。なお、図１中、Ｘ軸、Ｙ軸およびＺ軸はそれぞれ直交する軸であり、Ｘ軸およびＹ軸で構成される面が受光素子１４の中心線Ｃ１（受光面１４ａに垂直な方向の中心線）と直交し、Ｚ軸は、受光素子１４の中心線Ｃ１に平行な軸である（以下、他の図でも同様）。
【００２８】
図２（ａ）に示すように、バンドパスフィルタ１５を構成する透光性部材１６は、半径Ｒ（内周面１６ｂまでの半径）の中空球体Ｓ（図中、二点鎖線で示す）の一部を碗状に切り取った形状に形成されており、透光性部材１６を貫く方向の中心線Ｃ２を中心にして回転対称的な形状になっている。なお、半径Ｒの寸法、中心角度Ａ（図２（ｂ）参照）、および厚みＴ（外表面１６ａから内表面１６ｂまでの長さ）は、設計的な事項であり、受光モジュール１０が適用される電気機器の装着箇所および電気機器の形状等に応じて適宜決定され、例えば、中心角度Ａは７０度程度〜１８０度近くまでの範囲で適切な値が採用される。また、バンドパスフィルタ１５は、透光性部材１５の表面側に赤外線の波長帯に応じた光を透過する特性の膜を積層蒸着することで、所定のバンドパス特性を得ている。
【００２９】
一方、受光素子１４は、厚みが薄い直方体状のチップであり、基板１３の上面１３ａに実装されると共に、受光面１４ａの中心１４ｂ（中心線Ｃ１が通る箇所）が、バンドパスフィルタ１５の透光性部材１６の形状に係る中空球体Ｓの中心に位置するように、受光素子１４および基板１３をハウジング１２で固定している。この固定状態では、受光素子１４の中心線Ｃ１と、バンドパスフィルタ１５（透光性部材１６）の中心線Ｃ２は、同一直線上に位置するようになる。なお、バンドパスフィルタ１５を固定するハウジング１２の天面部１２ａは、バンドバスフィルタ１５に応じた箇所を円形に空けて、バンドパスフィルタ１６を透過した光が受光素子１４へ向かうのを妨げないようにしている。
【００３０】
図２（ｂ）は、バンドパスフィルタ１５（透光性部材１６）に対して、複数の方向から入射する光Ｋ１０〜Ｋ１２の進行状況を示している。光Ｋ１０は、バンドパスフィルタ１５の中心線Ｃ２と重なるようにバンドパスフィルタ１５へ直交して入射しており（接線Ｌ１に対して９０度）、そのため、バンドパスフィルタ１５は、自己の透過波長帯に光Ｋ１０の波長が含まれれば、光Ｋ１０（赤外光）を透過させるが、自己の透過波長帯に波長が含まれないノイズ光などは遮る。よって、バンドパスフィルタ１５で透過想定している波長の光（赤外光）のみが、受光素子１４で受光される。
【００３１】
光Ｋ１１は、図６（ｂ）に示す光Ｋ２と同様に、受光素子１４に対して斜め方向（光Ｋ１１に対して角度Ｂだけ斜めの方向）からバンドパスフィルタ１５へ入射するものであり、この斜め方向からの光Ｋ１１は、バンドパスフィルタ１５の球面である外表面１６ａにおける入射角度が接線Ｌ２に対して９０度になっているものとする。そのため、光Ｋ１０と同様に、バンドパスフィルタ１５のバンドパス特性と対応した透過波長帯に、光Ｋ１１の波長が含まれれば、光Ｋ１１（赤外光）はバンドパスフィルタ１５を透過して受光素子１４で受光される。一方、光Ｋ１１がノイズ光であれば、バンドパスフィルタ１５に対して直交的に入射するため、バンドパス特性の波長が下方（短波長側）へシフトしないので、斜め方向からの入射であっても、バンドパスフィルタ１５はノイズ光を遮ることができる。
【００３２】
また、光１２は、図６（ｃ）の光Ｋ３に相当し、光Ｋ１０を中心にして光Ｋ１１と対称的に光路になっており、光Ｋ１１と同様に斜め方向（光Ｋ１０に対して角度Ｂだけ斜めの方向）からの入射であっても、バンドパスフィルタ１５が球面であることから、接線Ｌ３に対して９０度で入射することにより、バンドパス特性に応じた透過波長帯に含まれる赤外光を透過させ、透過波長帯に含まれないノイズ光を遮る。
【００３３】
以上のように第１実施形態のバンドパスフィルタ１５および受光モジュール１０は、従来の平板状のバンドパスフィルタであれば透過させていた斜め方向からのノイズ光を遮ることができ、広い角度範囲の方向で、バンドパスフィルタ１５の透過波長帯に含まれる波長の赤外光を透過させて受光素子１４で受光を行える。そのため、第１実施形態に係るバンドパスフィルタ１５を用いた受光モジュール１０を電気機器の本体側に用いれば、広い角度範囲でリモコン操作が可能となり、リモートコントロールの操作性を高められると共に、周囲のノイズ光に起因する誤作動および遠隔操作距離の短縮を防止できる。
【００３４】
なお、第１実施形態に係るバンドパスフィルタ１５および受光モジュール１０は上述した形態に限定されるものではなく、様々な変更が可能である。例えば、受光モジュール１０は、受光素子１４の仕様等に応じて、バンドパスフィルタ１５の内方側または外方側に、可視光カットフィルタなどの他の光学特性を有するフィルタ等を配置した構成を採用してもよい。また、リモコン装置から発せられる赤外光は、ピンポイント的ではなく有る程度の範囲であれば受光することが可能であるため、バンドパスフィルタ１５の内方側に位置する受光素子１４は、中空球体Ｓの中心から各軸方向などへ、受光できる範囲内で移動させて位置を変えることも可能である。さらに、バンドパスフィルタ１５の透光性部材１６の形状も、曲率が同一の球面の形状以外であっても、球面に近いような湾曲面を有する形状（例えば、碗状の形状など）であれば、上記と同様に、斜め方向から入射するノイズ光を遮ることが可能となる。
【００３５】
図３は、本発明の第２実施形態に係る受光モジュール２０を示している。第２実施形態の受光モジュール１０は、バンドパスフィルタ２５の透光性部材２６に複数の斜面部２６ｂ〜２６ｅを設け、バンドパスフィルタ２５を全体として末広がり形状に形成したことが特徴である。即ち、バンドパスフィルタ２５の透光性部材２６は、四角錐を底面に平行な面で切り取ったような形状であり、矩形状の天板部２６ａの周囲下方に計４つの台形状の斜面部２６ｂ〜２６ｅを有する。そのため、バンドパスフィルタ２５は、天板部２６ａの中心線Ｃ１１（図５（ａ）参照）を中心にＸ軸方向およびＹ軸方向において対称的な形状になっている。なお、バンドパスフィルタ２５は当然、下面部を有しない。このようなバンドパスフィルタ２５は、受光モジュール２０のハウジング２２の天板部に固定される。また、ハウジング２２の天板部のバンドパスフィルタ２５の固定箇所は勿論、バンドパスフィルタ２５の形状に合わせて矩形状にくり抜かれている。
【００３６】
一方、基板２３の上面２３ａに実装された受光素子２４は、バンドパスフィルタ２５に内方側に位置するようにハウジング２２の内部に固定されており、本実施形態では各斜面部２６ｂ〜２６ｅの対角線の交点を貫く各垂線が交わる箇所に、受光素子２４は配置されている。
【００３７】
即ち、図４（ａ）に示すように、斜面部２６ｃの対角線の交点を通る垂線Ｃ１３と、斜面部２６ｅの対角線の交点を通る垂線Ｃ１２とが交わる点に、受光素子２４の受光面２４ａの中心２４ｂが位置するように、受光素子２４が配置されている。なお、このような配置により、受光素子２４の中心線Ｃ１０と、天板部２６ａの中心線Ｃ１１は、同一直線上に位置するようになっている。
【００３８】
図４（ｂ）は、バンドパスフィルタ２５（透光性部材２６）に対して、複数の方向から入射する光Ｋ２０〜Ｋ２２の進行状況を示している。光Ｋ２０は、バンドパスフィルタ２５（透光性部材２６）の天板部２６の中心線Ｃ１１と重なるように入射しており、そのため、バンドパスフィルタ２５は、自己の透過波長帯に光Ｋ２０の波長が含まれれば、光Ｋ２０（例えば、赤外光）を透過させるが、自己の透過波長帯に波長が含まれないノイズ光などは遮る。そのため、バンドパスフィルタ２５で透過を想定している波長の光（赤外光）のみが、受光素子２４で受光される。
【００３９】
光Ｋ２１は、図２（ｂ）に示す光Ｋ１１および図６（ｂ）に示す光Ｋ２と同様に、受光素子２４に対して斜め方向（光Ｋ２０に対して角度Ｃだけ斜めの方向）からバンドパスフィルタ２５へ入射するものであり、この斜め方向からの光Ｋ２１は、バンドパスフィルタ２５の斜面部２６ｅの中心線Ｃ１２と重なるように入射している。そのため、バンドパスフィルタ２５のバンドパス特性と対応した透過波長帯に、光Ｋ２１の波長が含まれれば、光Ｋ２１（赤外光）はバンドパスフィルタ２５を透過して受光素子２４で受光される。一方、光Ｋ２１がノイズ光であれば、バンドパスフィルタ２５に対して直交的に入射するため、バンドパス特性の波長が下方（短波長側）へシフトしないので、斜め方向からの入射であっても、バンドパスフィルタ２５はノイズ光を遮ることができる。
【００４０】
また、光２２は、図２（ｂ）に示す光Ｋ１２および図６（ｃ）の光Ｋ３に相当し、光Ｋ２０を中心にして光Ｋ２１と対称的に光路になっており、光Ｋ２１と同様に斜め方向（光Ｋ２０に対して角度Ｃだけ斜めの方向）からの入射であっても、バンドパスフィルタ２５の斜面部２６ｃに対して９０度で入射することより、バンドパス特性に応じた透過波長帯に含まれる赤外光を透過させ、透過波長帯に含まれないノイズ光を遮る。
【００４１】
以上のように第２実施形態のバンドパスフィルタ２５および受光モジュール２０は、従来の平板状のバンドパスフィルタであれば透過させていた斜め方向からのノイズ光を遮ることができ、広い角度範囲の方向で、バンドパスフィルタ２５の透過波長帯に含まれる波長の赤外光を透過させて受光素子２４で受光させられる上、平面的な構成であるため、製作コストを低く抑えることができる。よって、第２実施形態に係るバンドパスフィルタ２５を用いた受光モジュール２０を電気機器の本体側に用いれば、低コストで広い角度範囲でリモコン操作が可能となり、リモートコントロールの操作性を向上できると共に、周囲のノイズ光に起因する誤作動および遠隔操作距離の短縮を防止できる。
【００４２】
なお、第２実施形態に係るバンドパスフィルタ２５および受光モジュール２０も、種々の変形例が想定され、例えば、天板部２６ａに対する周囲の斜面部２６ｂ〜２６ｅの角度は、受光モジュール２０の適用対象となる電気機器における取付位置および仕様等に応じて適宜変更可能である。さらに、バンドパスフィルタ２５（透光性部材２６）のベースとなる形状は、四角錐を底面に平行な面で切り取ったような形状以外にも、三角錐、五角錐のような多角錘、または円錐を底面に平行な面で切り取ったような形状にしてもよい。さらにまた、形状の簡易化を図る場合は、天板部２６ａを省略して、斜面部のみでバンドパスフィルタ２５（透光性部材２６）を形成してもよい。
【００４３】
図５（ａ）（ｂ）は、第２実施形態の変形例に係る受光モジュール３０を示している。変形例の受光モジュール３０は、矩形状の斜面部３６ａ、３６ｂを繋ぎ合わせて屋根形状にした透光性部材３６からなるバンドパスフィルタ３５を用いていることが特徴であり、バンドパスフィルタ３５の内方側に基板３３に実装した受光素子３４を配置してハウジング３２でバンドパスフィルタ３５および受光素子３４の位置決めを行っている。
【００４４】
このような変形例の受光モジュール３０でも、図５（ｂ）に示すように、バンドパスフィルタ３５（透光性部材３６）の各斜面部３６ａ、３６ｂへ垂直に入射した光Ｋ３０、Ｋ３１が交わる箇所に受光素子３４を位置させることで、図３の第２実施形態に係る受光モジュール２０と同様に、斜め方向からのノイズ光を遮ると共に、斜め方向から入射されるバンドパスフィルタ３５のバンドパス特性に応じた波長の赤外光を受光素子３４で受光することができる。
【図面の簡単な説明】
【００４５】
【図１】本発明の第１実施形態に係る受光モジュールの外観を示す斜視図である。
【図２】（ａ）は、第１実施形態の受光モジュールのＹ軸方向に垂直な面における断面図を示し、（ｂ）は複数の方向から入射する光の進行状況を示す概略断面図である。
【図３】本発明の第２実施形態に係る受光モジュールの外観を示す斜視図である。
【図４】（ａ）は、第２実施形態の受光モジュールのＹ軸方向に垂直な面における断面図を示し、（ｂ）は複数の方向から入射する光の進行状況を示す概略断面図である。
【図５】（ａ）は第２実施形態の変形例に係る受光モジュールの外観を示す斜視図、（ｂ）は側方からの概略図である。
【図６】（ａ）は従来の受光モジュールの基本構成を示す概略図、（ｂ）は従来の受光モジュールにおける複数の方向から入射する光の進行状況を示す概略図である。
【符号の説明】
【００４６】
１０、２０、３０  受光モジュール
１４、２４、３４  受光素子
１５、２５、３５  バンドパスフィルタ
１６、２６、３６  透光性部材
２６ｂ〜２６ｅ、３６ａ、３６ｂ  斜面部
Ｋ１０〜Ｋ１２、Ｋ２１〜Ｋ２２、Ｋ３０、Ｋ３１  光
【図１】
2009076557.tif 000003
【図２】
2009076557.tif 000004
【図３】
2009076557.tif 000005
【図４】
2009076557.tif 000006
【図５】
2009076557.tif 000007
【図６】
2009076557.tif 000008